(57)【要約】【課題】組み立てが簡単で、部材の組み込み作業を要しない緩衝トレーを提供する。【解決手段】基板１の周囲各辺に臨む４個のパッド２を設け、このパッド２は、立板１１と両端部に位置する繋板１２と座板１３とを連設して三角筒状に巻き、繋板１２間で側面視Ｌ字状とし、繋板１２及び座板１３の外端を切断して傾斜縁１９を形成した構成とし、隣接するパッド２の傾斜縁１９同士を基板１のコーナー部分で突き合わせる。また、パッド２では、座板１３に中立板１４を、立板１１に外座板１５をそれぞれ連設し、中立板１４を立板１１の内側に重ね、外座板１５を座板１３の外側に重ねる。さらに、繋板１２の間の部分で立板１１に内立板１６を連設し、外座板１５に内座板１７を連設して、内立板１６及び内座板１７をそれぞれ中立板１４及び座板１３の内側に沿うように折り曲げ、内立板１６と内座板１７の先端同士を係合させる。【選択図】図１
2009091007.tif 000002
【特許請求の範囲】
【請求項１】
基板(1)の周囲各辺に臨む複数個のパッド(2)を設け、このパッド(2)は、立板(11)と両端部に位置する繋板(12)と座板(13)とを連設して三角筒状に巻き、繋板(12)間で側面視Ｌ字状とし、繋板(12)及び座板(13)の外端を切断して傾斜縁(19)を形成した構成とし、隣接するパッド(2)の傾斜縁(19)同士を基板(1)のコーナー部分で突き合わせた緩衝トレー。
【請求項２】
前記パッド(2)では、座板(13)に中立板(14)を、立板(11)に外座板(15)をそれぞれ連設し、中立板(14)を立板(11)の内側に重ね、外座板(15)を座板(13)の外側に重ねたことを特徴とする請求項１に記載の緩衝トレー。
【請求項３】
前記パッド(2)では、繋板(12)の間の部分で立板(11)に内立板(16)を連設し、外座板(15)に内座板(17)を連設して、内立板(16)及び内座板(17)をそれぞれ中立板(14)及び座板(13)の内側に沿うように折り曲げ、内立板(16)と内座板(17)の先端同士を係合させたことを特徴とする請求項１又は２に記載の緩衝トレー。
【発明の詳細な説明】
【技術分野】
【０００１】
この発明は、天井用空調機器等、コーナー部分に切欠部を有する物品の梱包に適した段ボール製の緩衝トレーに関するものである。
【背景技術】
【０００２】
従来、電機製品等の梱包に使用する緩衝トレーとして、下記特許文献１には、図７に示すように、段ボールを折り曲げて角皿状としたトレー本体５１と、平面視Ｌ字状とした４個のパッド５２と、基板５１の四隅にパッド５２を位置決めする規制部材５３と、梱包する物品を受け止めると共に、規制部材５３の長穴に挿通されてトレー本体５１に対し規制部材５３を位置決めする角柱状の緩衝材５４とから成るものが記載されている。
【０００３】
【特許文献１】特開２００４−２４４０４９号公報
【発明の開示】
【発明が解決しようとする課題】
【０００４】
しかしながら、上記のような緩衝トレーでは、梱包資材の準備段階における各構成部材の組み立てや、梱包作業時におけるトレー本体への各構成部材の組み込み作業に手間がかかるという問題がある。
【０００５】
そこで、この発明は、組み立てが簡単で、部材の組み込み作業を要しない緩衝トレーを提供しようとするものである。
【課題を解決するための手段】
【０００６】
上記のような課題を解決するため、この発明に係る緩衝トレーでは、基板の周囲各辺に臨む複数個のパッドを設け、このパッドは、立板と両端部に位置する繋板と座板とを連設して三角筒状に巻き、繋板間で側面視Ｌ字状とし、繋板及び座板の外端を切断して傾斜縁を形成した構成とし、隣接するパッドの傾斜縁同士を基板のコーナー部分で突き合わせたのである。
【０００７】
また、前記パッドでは、座板に中立板を、立板に外座板をそれぞれ連設し、中立板を立板の内側に重ね、外座板を座板の外側に重ねたのである。
【０００８】
さらに、前記パッドでは、繋板の間の部分で立板に内立板を連設し、外座板に内座板を連設して、内立板及び内座板をそれぞれ中立板及び座板の内側に沿うように折り曲げ、内立板と内座板の先端同士を係合させたのである。
【発明の効果】
【０００９】
この発明に係る緩衝トレーでは、物品の梱包に先立って、パッドを立板、繋板及び座板を巻いて形成し、隣接するパッドの両端の傾斜縁同士を突き合わせることにより、簡単に組み立てることができ、このパッドを基板に設置するだけで緩衝構造を有するトレーとなるので、梱包作業時には、部材の組み込み作業を行なう必要がない。
【発明を実施するための最良の形態】
【００１０】
以下、この発明の実施形態を添付図面に基づいて説明する。
【００１１】
この緩衝トレーは、図１に示すように、コーナー部分に切欠部を有する天井用空調機Ｇの梱包に使用されるものであり、図２に示すように、正方形状でコーナー部が若干切り落とされた基板１と、そのコーナー部を除く周囲各辺に臨むように基板１に取り付けた４個のパッド２とから構成されている。
【００１２】
パッド２は、図３に示す段ボールのブランクから形成される。このブランクでは、立板１１の両端部に繋板１２を介して座板１３が連設され、これらと一列となるように、座板１３に中立板１４が、立板１１に外座板１５がそれぞれ連設されている。
【００１３】
繋板１２の間の部分には、立板１１から内立板１６が延出され、外座板１５には内座板１７が立板１１の反対側に連設されている。立板１１と繋板１２及び内立板１６との間、並びに外座板１５と内座板１７との間には、額縁部１８が介在している。
【００１４】
繋板１２、座板１３及び外座板１５の両外端は切断されて、傾斜縁１９が形成されている。内立板１６の先端縁には係止突起１６ａが、内座板１７の先端縁には係止凹部１７ａがそれぞれ設けられている。
【００１５】
このブランクからパッド２を組み立てるには、図４乃至図６に示すように、立板１１から両端部の繋板１２を斜め下方へ折り曲げ、座板１３を立板１１の方向へ折り曲げて、中立板１４を立板１１の内側に重ね、外座板１５を座板１３の外側に重ねる。
【００１６】
次に、内立板１６及び内座板１７をそれぞれ中立板１４及び座板１３の内側に沿うように折り曲げ、係止突起１６ａと係止凹部１７ａとを係合させて、パッド２を保形する。
【００１７】
この組立状態において、パッド２は、両端部が三角筒状となり、繋板１２の間では、側面視Ｌ字状となる。また、額縁部１８により段ボールの厚みが吸収される。
【００１８】
上記のように４個のパッド２を組み立てた後、図２に示すように、基板１の周囲にこれらのパッド２を外座板１５が底面となるように配置して、図１に示すように、隣接するパッド２の傾斜縁１９同士を基板１のコーナー部分で突き合わせ、外座板１５を基板１に接着剤等により固定する。
【００１９】
そして、空調機Ｇを梱包する際には、空調機Ｇの四隅の切欠部が繋板１２の部分に対応し、その中間の長辺部が繋板１２の間の側面視Ｌ字状の部分に対応するように、空調機Ｇをパッド２の内側に嵌め込む。
【００２０】
その後、空調機Ｇの上部に上下反転した他の段ボール製トレーを被せ、ポリプロピレンのバンドを掛けて、上下のトレーを結束すると、梱包が完了する。
【００２１】
上記のような緩衝トレーでは、空調機Ｇの梱包に先立って、パッド２をブランクの巻込により形成し、隣接するパッド２の両端の傾斜縁１９同士を突き合わせることにより、簡単に組み立てることができ、このパッド２を基板１に設置するだけで緩衝構造を有するトレーとなるので、梱包作業時には、部材の組み込み作業を行なう必要がない。
【００２２】
また、梱包状態において、輸送中の衝撃がコーナー部分の両面の繋板１２で均等に受け止められるので、優れた緩衝性が得られ、例示した空調機Ｇのように、コーナー部分に切欠部を有する物品を確実に衝撃から保護することができる。
【００２３】
なお、上記実施形態では、パッド２として、垂直方向で立板１１、中立板１４及び内立板１６が重ね合わされ、水平方向で座板１３、外座板１５及び内座板１７が重ね合わされたものを例示したが、被梱包物が破損しにくい場合等、緩衝性をあまり要求されない場合には、中立板１４や外座板１５のほか、内立板１６や内座板１７を省略してもよい。
【００２４】
また、繋板１２を両端部にのみ設けたものを例示したが、被梱包物の側面中間部が括れている場合には、繋板１２を両端部に加えて中間部に設けるようにしてもよく、被梱包物のコーナー部に凸凹がある場合には、その凸凹に沿って、端部の繋部１２と立板１１又は座板１３との間に傾斜のない部分や傾斜の変化する部分を設けてもよい。
【００２５】
また、基板１に、別体のパッド２を取り付けるものを例示したが、例えば、基板１に外座板１５を繋ぎ、基板１を切り起こして内座板１７を形成するような構成により、基板１とパッド２とを一体化してもよい。
【００２６】
そのほか、正方形状の基板１のコーナー部分において、パッド２が直角に隣接するものを例示したが、六角形や八角形等、他の多角形状の基板１のコーナー部分において、パッド２が直角でない角度で隣接するようにしてもよい。
【００２７】
また、基板１の全てのコーナー部分でパッド２が隣接するものを例示したが、基板１や被梱包物の形状によっては、基板１の一部のコーナー部分でのみパッド２が隣接するようにしてもよい。
【図面の簡単な説明】
【００２８】
【図１】この発明に係る緩衝トレーの使用状態を示す斜視図
【図２】同上の組立過程を示す分解斜視図
【図３】同上のパッドのブランクを示す図
【図４】同上のパッドの組立過程を示す斜視図
【図５】同上のパッドの組立状態を示す斜視図
【図６】同上のパッドの組立状態を示す側面図
【図７】従来の緩衝トレーの分解斜視図
【符号の説明】
【００２９】
１  基板
２  パッド
１１  立板
１２  繋板
１３  座板
１４  中立板
１５  外座板
１６  内立板
１６ａ  係止突起
１７  内座板
１７ａ  係止凹部
１８  額縁部
１９  傾斜縁
【図１】
2009091007.tif 000003
【図２】
2009091007.tif 000004
【図３】
2009091007.tif 000005
【図４】
2009091007.tif 000006
【図５】
2009091007.tif 000007
【図６】
2009091007.tif 000008
【図７】
2009091007.tif 000009